(57)【要約】【課題】端子の保持力を確保する。【解決手段】本明細書によって開示されるコネクタは、芯線２１を絶縁被覆２２で覆った被覆電線２０と、被覆電線２０の前端部（端末）において絶縁被覆２２から露出した芯線２１に接続される電線接続部３２を有する丸形端子３０と、被覆電線２０を前後方向に挿通させた状態で収容するハウジング４０とを備えたシールドコネクタ１０であって、ハウジング４０は、電線接続部３２の後側に設けられたベルマウス３５と絶縁被覆２２の前端部との間に配され、電線接続部の後側に設けられたベルマウス３５と絶縁被覆２２の前端部とに前後方向に係止可能な係止突起４８を有する係止筒部４５を有している構成とした。【選択図】図２
2018085229.tif 000002
【特許請求の範囲】
【請求項１】
芯線を絶縁被覆で覆った電線と、
前記電線の端末において前記絶縁被覆から露出した前記芯線に接続される電線接続部を有する端子と、
前記電線を前記電線の延び方向である前後方向に挿通させた状態で収容するハウジングとを備えたコネクタであって、
前記ハウジングは、前記電線接続部における前記絶縁被覆側の後端部と前記絶縁被覆における前記端子側の前端部との間に配され、前記電線接続部の後端部と前記絶縁被覆の前端部とに前後方向に係止可能な係止部を有しているコネクタ。
【請求項２】
前記係止部は、前記電線に沿うように前方に向かって延出して設けられ、前記電線を前記ハウジングに挿通させる際に、前記電線から離れるようにして弾性変位し、前記電線が正規の収容位置に配置されると、弾性復帰する弾性片と、
前記弾性片から前記芯線に向かって突出して設けられ、前記電線の前記絶縁被覆の押圧により前記電線の挿通経路から退避し、前記電線が正規の収容位置に配置されると、前記絶縁被覆による押圧が解除され、前記電線接続部の後端部と前記絶縁被覆の前端部との間に進入する係止突起とを有している請求項１に記載のコネクタ。
【請求項３】
前記電線接続部は、前記絶縁被覆よりも前記電線の径方向に大きく形成されており、
前記電線接続部の後端部と前記弾性片の前端部とは、前後方向に係止可能とされている請求項２に記載のコネクタ。
【請求項４】
前記係止突起は、前方から後方に向かうほど電線から離れる方向に傾斜して設けられ、前記電線を前記ハウジングに挿通させる際に、前記電線を案内する案内面を有している請求項２または請求項３に記載のコネクタ。
【請求項５】
前記係止部は、複数設けられている請求項１から４のいずれか一項に記載のコネクタ。
【請求項６】
前記複数の係止部は、前記電線を囲むように前記電線の外周に配置されている請求項５に記載のコネクタ。
【発明の詳細な説明】
【技術分野】
【０００１】
本明細書によって開示される技術は、コネクタに関する。
【背景技術】
【０００２】
例えば、端子が接続された複数の電線を保持する電線保持装置として、特開２０１４−２６７４６号公報（下記特許文献１）に記載のものが知られている。
この電線保持装置は、上下に対向して組み付けられる一対の保持部材を有しており、一対の保持部材によって各電線を上下方向両側から挟み込むことで複数の電線が一対の保持部材によって保持されるようになっている。
【先行技術文献】
【特許文献】
【０００３】
【特許文献１】特開２０１４−２６７４６号公報
【発明の概要】
【発明が解決しようとする課題】
【０００４】
ところで、一般に電線径は大きくなるほど、電線径に僅かなばらつきが生じてしまう。このため、上記のような電線保持装置を、電線径が太い太物電線に適用すると、電線径が僅かに細くなっている場合には、電線の保持力が低下してしまい、電線が引っ張られた場合に、電線が保持部材から離脱してしまう虞がある。また、電線の経年劣化によって電線径が細くなる場合にも、電線を保持する保持力が低下してしまう。
【０００５】
本明細書では、端子の保持力を確保する技術を開示する。
【課題を解決するための手段】
【０００６】
本明細書によって開示される技術は、芯線を絶縁被覆で覆った電線と、前記電線の端末において前記絶縁被覆から露出した前記芯線に接続される電線接続部を有する端子と、前記電線を前記電線の延び方向である前後方向に挿通させた状態で収容するハウジングとを備えたコネクタであって、前記ハウジングは、前記電線接続部における前記絶縁被覆側の後端部と前記絶縁被覆における前記端子側の前端部との間に配され、前記電線接続部の後端部と前記絶縁被覆の前端部とに前後方向に係止可能な係止部を有している構成とした。
【０００７】
このような構成のコネクタによると、絶縁被覆の前端部と係止部とが前後方向に係止することで、電線のハウジングに対する前止まりがされる。一方、電線が後方に引っ張られた際には、端子の電線接続部における後端部と係止部とが前後方向に係止することで、ハウジングに対する端子の保持力が確保され、電線がハウジングから離脱ことを防ぐことができる。
【０００８】
つまり、電線接続部の後端部および絶縁被覆の前端部と係止部とが前後方向に係止することで、ハウジングに対する端子の保持力を確保して安定して保持することができる。これにより、例えば、電線径にばらつきが生じたり、電線が経年劣化して電線径が細くなったりする場合においても、電線がハウジングに対して位置ずれしたり、電線がハウジングから離脱することを防ぐことができる。
【０００９】
本明細書によって開示されるコネクタは、以下の構成としてもよい。
前記係止部は、前記電線に沿うように前方に向かって延出して設けられ、前記電線を前記ハウジングに挿通させる際に、前記電線から離れるようにして弾性変位し、前記電線が正規の収容位置に配置されると、弾性復帰する弾性片と、前記弾性片から前記芯線に向かって突出して設けられ、前記電線の前記絶縁被覆の押圧により前記電線の挿通経路から退避し、前記電線が正規の収容位置に配置されると、前記絶縁被覆による押圧が解除され、前記電線接続部の後端部と前記絶縁被覆の前端部との間に進入する係止突起とを有している構成としてもよい。
【００１０】
このような構成によると、ハウジングに対して電線を組み付ける際に、係止部の弾性片が弾性変位し、電線が正規の収容位置に配置されると、絶縁被覆による押圧が解除されて弾性片が弾性復帰することで、係止突起が電線接続部の後端部と前記絶縁被覆の前端部との間に進入するから、例えば、ハウジングに対して電線を正規の組み付け位置に配置した後に、電線接続部の後端部と絶縁被覆の前端部との間に係止部を配置する場合に比べて、電線接続部の後端部および絶縁被覆の前端部と係止部との係止構造を容易に構成することができる。
【００１１】
前記電線接続部は、前記絶縁被覆よりも前記電線の径方向に大きく形成されており、前記電線接続部の後端部と前記弾性片の前端部とは、前後方向に係止可能とされている構成としてもよい。
【００１２】
このような構成によると、電線が後方に引っ張られた際に、係止突起に加えて弾性片の前端部が電線接続部の後端部と前後方向に係止するから、ハウジングに対する端子の保持力をさらに高くすることができ、ハウジングに対して端子を安定して保持することができる。
【００１３】
前記係止突起は、前方から後方に向かうほど電線から離れる方向に傾斜して設けられ、前記電線を前記ハウジングに挿通させる際に、前記電線を案内する案内面を有している構成としてもよい。
【００１４】
このような構成によると、電線をハウジングに挿通させる際に、案内面によって電線が案内されるから、例えば、係止突起と電線の絶縁被覆とが引っ掛かるなどして絶縁被覆の前端部が損傷することを防ぐことができる。ひいては、係止突起と絶縁被覆との係止力が低下することを抑制することができる。
【００１５】
前記係止部は、複数設けられている構成としてもよい。
このような構成によると、電線を囲むように電線の外周に複数設けられているから、例えば、係止部を１つだけ設ける場合に比べて、ハウジングに対する端子の保持力を高くすることができ、ハウジングに対して端子を安定して保持することができる。
【００１６】
前記複数の係止部は、前記電線を囲むように前記電線の外周に配置されている構成としてもよい。
このような構成によると、係止部が電線を囲むように電線の外周に配されているから、電線に対して偏って係止部が設けられている場合に比べて、電線接続部の後端部と絶縁被覆の前端部とを電線の周方向にバランスよく係止することができる。これにより、ハウジングに対する端子の保持力をさらに高くすることができ、ハウジングに対して端子を安定して保持することができる。
【発明の効果】
【００１７】
本明細書によって開示される技術によれば、端子の保持力を確保することができる。
【図面の簡単な説明】
【００１８】
【図１】シールドコネクタの斜視図
【図２】シールドコネクタの横断面図
【図３】シールドコネクタの縦断面図
【図４】図２の要部拡大断面図
【図５】シールドコネクタの一部の分解斜視図
【図６】ハウジングの平面図
【図７】ハウジングの正面図
【図８】図６のＡ−Ａ線断面図
【図９】ハウジングに被覆電線を挿通した状態を示す縦断面図
【図１０】ハウジングに挿通された被覆電線に丸形端子を接続した状態を示す縦断面図
【発明を実施するための形態】
【００１９】
＜実施形態＞
本明細書に開示された技術における一実施形態について図１から図１０を参照して説明する。
【００２０】
本実施形態は、機器の図示しないケースに組み付けられるシールドコネクタ１０を例示している。
【００２１】
シールドコネクタ１０は、図１から図３に示すように、被覆電線２０と、被覆電線２０の端末に接続される丸形端子３０と、被覆電線２０を収容するハウジング４０と、ハウジング４０に組み付けられるシールドシェル６０とを備えて構成されている。なお、図１においては、シールドシェル８０を図示省略している。
【００２２】
被覆電線２０は、導電性に優れた複数の金属素線を撚り合わせて芯線２１を形成し、この芯線２１の周りを合成樹脂製の絶縁被覆２２で覆うことで形成されている。被覆電線２０の前端部(被覆電線２０の端末部分)は、絶縁被覆２２を皮剥ぎすることで、芯線２１が露出した状態となっており、絶縁被覆２２の前端部は、図２から図４に示すように、芯線２１よりも全周に亘って径方向外側に突出した形態となっている。
【００２３】
丸形端子３０は、導電性に優れた金属板材にプレス加工などを施すことで構成されており、図１から図３に示すように、平板状の端子接続部３１と、被覆電線２０に接続される電線接続部３２と、端子接続部３１と電線接続部３２とを繋ぐ繋ぎ部３３とを備えて構成されている。
【００２４】
端子接続部３１には、図示しないボルトが挿入通可能なボルト孔３１Ａが端子接続部３１の板厚方向である上下方向に貫通して設けられている。端子接続部３１は、ケース内に設けられた図示しないケース側端子に重ね合わせられ、ボルト孔３１Ａに挿通されたボルトによってボルト締めされることで、ケース側端子とボルト締結されるようになっている。
【００２５】
電線接続部３２は、被覆電線２０の芯線２１が載置される底板３２Ａの幅方向両側の側縁に一対のバレル片３４が設けられた、いわゆるオープンバレル型とされている。電線接続部３２は、被覆電線２０の端末において絶縁被覆２２を皮剥ぎして露出した芯線２１を底板３２Ａに載置し、一対のバレル片３４の先端を互いに突き合わせつつ、一対のバレル片３４によって芯線２１を幅方向両側から包み込むようにして一対のバレル片３４を芯線２１に圧着することで、被覆電線２０の芯線２１に電気的に接続されている。
芯線２１に圧着された電線接続部３２は、図２から図４に示すように、電線接続部３２の前後両端部が端縁に近づくほど径方向外側(被覆電線２０から離れる方向）に拡幅されたベルマウス３５とされており、ベルマウス３５は幅方向の幅寸法Ｄ１が上下方向の高さ寸法Ｄ２や被覆電線２０の外径Ｄ３よりも大きく形成されている。
【００２６】
また、電線接続部３２は、図２から図４および図１０に示すように、被覆電線２０の絶縁被覆２２からやや前方に離れた位置に接続されており、電線接続部３２の後端側のベルマウス３５と絶縁被覆２２の前端面２２Ａとの間には、全周に亘って隙間Ｓが形成されている。
【００２７】
繋ぎ部３３は、電線接続部３２の底板３２Ａから前方に僅かに延出された後、斜め前下方に延びた形態をなしており、繋ぎ部３３の前縁に端子接続部３１が連設されている。
【００２８】
ハウジング４０は、合成樹脂製であって、図２、図３および図７から図１０に示すように、前後方向に貫通する筒状をなしており、ケースに設けられた図示しない取付孔に嵌合可能な略円筒状のハウジング本体４１を有している。
【００２９】
ハウジング本体４１の前側外周面には、図２および図３に示すように、環状のゴムリングＲが装着されたシール装着溝４２が凹設されている。ゴムリングＲは、ハウジング本体４１がケースの取付孔に嵌合されると、取付孔の内周面とシール装着溝４２の奥側内周面４２Ａとの間をシールするようになっている。
【００３０】
ハウジング本体４１内には、被覆電線２０が前後方向に貫通するように後方から挿通された状態で収容されるようになっている。被覆電線２０がハウジング本体４１内の正規の収容位置に配置されると、図２および図３に示すように、被覆電線２０の絶縁被覆２２がハウジング本体４１から前方に引き出された状態となる。
【００３１】
ハウジング本体４１の内部は、ハウジング本体４１の前後方向略中央部よりも後側が前側よりも拡幅されたゴム栓収容部４４とされている。ゴム栓収容部４４内には、被覆電線２０に外嵌された環状のゴム栓７０が後方から収容されるようになっている。
ゴム栓７０は、図５に示すように、ゴム栓７０の外周面に形成された複数条の外周リップ７０Ａと、ゴム栓７０の内周面に形成された複数条の内周リップ７０Ｂとを有している。ゴム栓７０は、図２および図３に示すように、ゴム栓収容部４４内の前端部である正規のゴム栓収容位置に収容されると、ゴム栓７０の外周リップ７０Ａがゴム栓収容部４４の内周面に全周に亘って密着すると共に、内周リップ７０Ｂが被覆電線２０の絶縁被覆２２における外周面に全周に亘って密着することで、ハウジング本体４１と被覆電線２０との間をシールするようになっている。
【００３２】
また、ゴム栓収容部４４の後端部には、ゴム栓７０を後方に抜け止めするバックリテーナ７２が装着されている。バックリテーナ７２は、図２、図３および図５に示すように、略円筒状のリテーナ本体部７３と、リテーナ本体部７３の前端外周縁部にフランジ状に設けられたゴム栓抜止部７４とを備えて構成されている。
【００３３】
リテーナ本体部７３は、前後方向に長い形態とされており、リテーナ本体部７３の上下方向両端部には、外方に向かって突出した形態の一対のリブ７３Ａがリテーナ本体部７３の全長に亘って形成されている。また、リテーナ本体部７３の内部には、被覆電線２０が挿通可能とされており、リテーナ本体部７３内に被覆電線２０が挿通されることで、被覆電線２０がハウジング４０から後方に真っ直ぐ引き出されるようになっている。
【００３４】
ゴム栓抜止部７４は、ゴム栓収容部４４の後端部内に収容可能とされており、図２および図３に示すように、ゴム栓抜止部７４がゴム栓収容部４４内の正規の抜止収容位置に収容されると、ゴム栓抜止部７４の前端面がゴム栓７０の後端面に当接すると共に、ハウジング本体４１の後端面とゴム栓抜止部７４の後端面とが面一となるように形成されている。
【００３５】
また、ゴム栓抜止部７４の外周面における上下方向両端部には、図３に示すように、ハウジング本体４１の上下方向両端部において内外に貫通して設けられた係止孔４１Ａに嵌合可能な係止突部７５が設けられている。係止突部７５は、ゴム栓抜止部７４がゴム栓収容部４４内の正規の抜止収容位置に収容されると、係止孔４１Ａに嵌合することで、ゴム栓抜止部７４を正規の抜止収容位置に保持し、ゴム栓７０がハウジング４０から脱落することを防ぐようになっている。
【００３６】
シールドシェル６０は、導電性を有する金属によって形成されている。また、シールドシェル６０は、図２および図３に示すように、バックリテーナ７２から後方に引き出される被覆電線２０を全周に亘って覆う略筒状に形成されており、シールドシェル６０の外周面には、シールドシェル６０から後方に引き出される被覆電線２０を覆う図示しない編組線が電気的に接続されるようになっている。また、シールドシェル６０は、図示しないケースにボルト締結されることで、ケースの外面に電気的に接続されるようになっている。
【００３７】
さて、ハウジング４０は、図１から図１０に示すように、ハウジング本体４１の前端部に設けられた略円筒状の係止筒部（「係止部」の一例）４５を有している。係止筒部４５は、ハウジング本体４１よりも小径に形成されており、ハウジング本体４１におけるゴム栓収容部４４の前壁４４Ａから被覆電線２０の芯線２１が露出した位置まで被覆電線２０に沿うように前方に向かって真っ直ぐ延出された形態とされている。
【００３８】
係止筒部４５の内径寸法Ｄ７は、図４に示すように、被覆電線２０の外径寸法Ｄ３に適合した寸法とさており、係止筒部４５内には、ハウジング本体４１内を挿通された被覆電線２０がほぼ隙間のない適合した状態で挿通されるようになっている。
【００３９】
また、係止筒部４５には、図１、図５から図８に示すように、係止筒部４５の前端からハウジング本体４１の前端位置と同じ位置まで前後方向に延びる複数のスリット４６が設けられている。
【００４０】
各スリット４６は、図７に示すように、係止筒部４５を内外に貫通するように設けられており、係止筒部４５の斜め上の２箇所と斜め下の２箇所の合計４箇所に形成されている。したがって、係止筒部４５は、各スリット４６によって分割されることで、前端部を自由端とすると共に、隣り合うスリット４６の後端位置の間を基端部とする径方向外側に弾性変位可能な上下左右の合計４つの弾性片４７によって構成されている。
【００４１】
また、各弾性片４７の前端部には、図２から図４に示すように、径方向内側に向かって突出する係止突起４８が設けられている。係止突起４８の前後方向の長さ寸法Ｄ４は、電線接続部３２の後端側のベルマウス３５と被覆電線２０の絶縁被覆２２の前端面２２Ａとの間の隙間Ｓの前後方向の長さ寸法Ｄ５に適合する寸法に設定されており、係止突起４８の突出寸法Ｄ６は、被覆電線２０において芯線２１から絶縁被覆２２が突出した寸法Ｄ８とほぼ同じに設定されている。そして、被覆電線２０がハウジング本体４１の正規の収容位置に配されると、電線接続部３２の後端側のベルマウス３５と絶縁被覆２２の前端面２２Ａとの間の隙間Ｓに嵌まり込み、係止突起４８の後方に被覆電線２０における絶縁被覆２２の前端面２２Ａが近接して配されると共に、係止突起４８および弾性片４７の前方に電線接続部３２の後端側のベルマウス３５が近接して配されるようになっている。また、各係止突起４８の突出端には、突出端の前後方向略中央部から後方に向かうほど径方向外側（被覆電線２０から離れる方向）に向かって傾斜する案内面４８Ａが設けられている。
【００４２】
言い換えると、各弾性片４７は、前端部を自由端とすると共に、隣り合うスリット４６の後端位置の間を基端部とする前方に向かって延出された形態をなしており、被覆電線２０を取り囲むように被覆電線２０の外周に均等に配置されている。
【００４３】
そして、被覆電線２０を係止筒部４５内に後方から挿入する挿入過程では、被覆電線２０の絶縁被覆２２が係止突起４８の案内面４８Ａに当接することで絶縁被覆２２が案内面４８Ａによって滑らかに前方に案内される。そして、図９および図１０に示すように、係止突起４８が絶縁被覆２２に径方向外側に押圧されて乗り上げ、被覆電線２０の挿通経路から退避することで、各弾性片４７が径方向外側に向かって弾性変位する。
【００４４】
一方、丸形端子３０が接続された被覆電線２０が正規の収容位置に配されると、図２から図４に示すように、絶縁被覆２２による係止突起４８の押圧が解除され、係止突起４８が電線接続部３２の後端側のベルマウス３５と絶縁被覆２２の前端面２２Ａとの間の隙間Ｓに進入することで、弾性片４７が弾性復帰する。そして、係止突起４８が隙間Ｓに適合して嵌まり込むことで、係止突起４８と電線接続部３２の後端側のベルマウス３５および絶縁被覆２２の前端面２２Ａとが前後方向に係止可能となるように、係止突起４８が電線接続部３２の後端側のベルマウス３５と絶縁被覆２２の前端面２２Ａとに前後方向に近接して配されると共に、幅方向両側における弾性片４７が電線接続部３２の後端側のベルマウス３５の後方に近接して配されるようになっている。
【００４５】
本実施形態は、以上のような構成であって、続いて、シールドコネクタ１０の組み立て手順を簡単に説明すると共に、作用および効果について説明する。
【００４６】
シールドコネクタ１０の組み立てでは、まず、絶縁被覆２２を皮剥ぎする前にゴム栓７０とバックリテーナ７２とを被覆電線２０に先通ししておき、その被覆電線２０を後方からハウジング４０のハウジング本体４１内に挿入して、ハウジング４０内に被覆電線２０を前後方向に挿通する。
【００４７】
この被覆電線２０の挿入過程では、被覆電線２０が係止筒部４５内に進入し、係止突起４８の位置まで被覆電線２０が挿入されると、被覆電線２０の絶縁被覆２２が各弾性片４７の係止突起４８における案内面４８Ａに当接する。そのままさらに、被覆電線２０を挿入すると、絶縁被覆２２が案内面４８Ａによって滑らかに案内されることで、各係止突起４８が絶縁被覆２２に押圧されて乗り上げ、被覆電線２０の挿通経路から退避することで、各弾性片４７が径方向外側に向かって弾性変位する。これにより、被覆電線２０がハウジング４０を前後方向に貫通するように挿通される。
【００４８】
次に、図９に示すように、被覆電線２０の端末部分である前端部の絶縁被覆２２を皮剥ぎする。そして、露出した芯線２１を丸形端子３０の電線接続部３２における底板３２Ａに載置し、図１０に示すように、一対のバレル片３４によって芯線２１を包み込むようにして一対のバレル片３４の前後方向略中部を上下方向両側から芯線２１に圧着する。これにより、被覆電線２０の前端部に丸形端子３０が電気的に接続されると共に、電線接続部３２の前後方向両端部にはベルマウス３５が形成される。
【００４９】
また、電線接続部３２は、被覆電線２０の絶縁被覆２２からやや前方に離れた位置に接続され、電線接続部３２の後端側のベルマウス３５と絶縁被覆２２の前端面２２Ａとの間には、全周に亘って隙間Ｓが形成される。
【００５０】
次に、ハウジング４０に対して被覆電線２０を正規の収容位置まで引き戻すことで、図２から図４に示すように、係止突起４８が電線接続部３２の後端側のベルマウス３５と絶縁被覆２２の前端面２２Ａとの間の隙間Ｓに進入し、弾性片４７が弾性復帰する。そして、係止突起４８が隙間Ｓに適合して嵌まり込むことで、係止突起４８が電線接続部３２の後端側のベルマウス３５と絶縁被覆２２の前端面２２Ａとに前後方向に近接して配されると共に、幅方向両側における弾性片４７が電線接続部３２の後端側のベルマウス３５の後方に近接して配され、シールドコネクタ１０が完成する。
【００５１】
以上のようにして組み立てられたシールドコネクタ１０は、図２から図４に示すように、係止突起４８が被覆電線２０の芯線２１の外周に均等に配され、かつ電線接続部３２の後端側のベルマウス３５と絶縁被覆２２の前端面２２Ａとに前後方向に近接して配されているから、被覆電線２０の絶縁被覆２２の前端面２２Ａと各弾性片４７の係止突起４８とが、周方向に４箇所において前後方向に係止することで、被覆電線２０のハウジング４０に対する前止まりがされる。
【００５２】
一方、被覆電線２０が後方に引っ張られるなどした場合には、丸形端子３０の電線接続部３２における後側のベルマウス３５と係止突起４８とが周方向に４箇所において前後方向に係止することで、ハウジング４０に対する丸形端子３０の保持力が確保され、被覆電線２０がハウジング４０から離脱ことを防ぐことができる。
【００５３】
つまり、従来のように、例えば、被覆電線を一対の保持部材によって上下方向両側から挟み込むことで被覆電線を保持する場合に比べて、電線径が太い太物電線を適用する際に電線径にばらつきが生じたり、被覆電線２０が経年劣化したりすることで被覆電線２０の外径が僅かに細くなったりする場合においても、被覆電線２０がハウジング４０に対して前後方向に位置ずれしたり、被覆電線２０がハウジング４０から離脱することを防ぐことができ、被覆電線２０をハウジング４０によって安定して保持することができる。
また、例えば、弾性片が１つだけ設けられている場合や複数の弾性片が被覆電線に対して偏って設けられている場合に比べて、ハウジング４０に対する丸形端子３０の保持力をバランスよく高くすることができ、ハウジング４０によって丸形端子３０を安定して保持することができる。
【００５４】
また、本実施形態によると、丸形端子３０の電線接続部３２における後側のベルマウス３５の後方に係止筒部４５における幅方向両側の弾性片４７がそれぞれ配されている。つまり、被覆電線２０が後方に引っ張られた際には、後側のベルマウス３５と各弾性片４７の係止突起４８との係止に加え、ベルマウス３５の幅方向両端部と幅方向両側における２つの弾性片４７とが前後方向に係止するから、被覆電線２０をハウジング４０によってさらに安定して保持することができる。
【００５５】
また、本実施形態によると、ハウジング４０の係止筒部４５に対して被覆電線２０を挿通させる際に、係止突起４８が絶縁被覆２２に押圧されて弾性片４７が弾性変位する。そして、被覆電線２０が引き戻されて正規の収容位置に配置されると、絶縁被覆２２の押圧が解除されて弾性片４７が弾性復帰することで、係止突起４８が電線接続部３２における後側のベルマウス３５と絶縁被覆２２の前端面２２Ａとの間の隙間Ｓに配置される。これにより、例えば、ハウジングに対して被覆電線を正規の収容位置に配置した後に、後側のベルマウスと絶縁被覆との間の隙間に係止突起を配置する場合に比べて、丸形端子３０および被覆電線２０とハウジング４０との係止構造を容易に構成することができる。
【００５６】
さらに、本実施形態によると、弾性片４７の係止突起４８には、後方に向かうほど径方向外側に向かって傾斜する案内面４８Ａが設けられ、この案内面４８Ａによって被覆電線２０の絶縁被覆２２を前方に向かって滑らかに案内することができるから、係止突起４８と被覆電線２０の絶縁被覆２２とが引っ掛かるなどして絶縁被覆２２の前端面２２Ａが損傷することを抑制することができる。ひいては、絶縁被覆２２の前端面２２Ａと係止突起４８との係止力が低下することを抑制することができる。
【００５７】
＜他の実施形態＞
本明細書で開示される技術は上記記述及び図面によって説明した実施形態に限定されるものではなく、例えば次のような種々の態様も含まれる。
【００５８】
（１）上記実施形態では、ハウジング４０に係止筒部４５が１つだけ設けられた構成にした。しかしながら、これに限らず、ハウジングに係止筒部が複数設けられることで、ハウジングに丸形端子および被覆電線が複数保持される構成にしてもよい。
【００５９】
（２）上記実施形態では、被覆電線２０の芯線２１に丸形端子３０の電線接続部３２における一対のバレル片３４を圧着した構成にした。しかしながら、これに限らず、被覆電線の芯線に雄端子や雌端子の一対のバレル片やクローズドバレルを圧着する構成にしてもよい。
【００６０】
（３）上記実施形態では、上下左右の４つの弾性片４７によって係止筒部４５を構成した。しかしながら、これに限らず、３つ以下の弾性片や５つ以上の弾性片によって係止筒部を構成してもよい。
【符号の説明】
【００６１】
１０：シールドコネクタ（「コネクタ」の一例）
２０：被覆電線（「電線」の一例）
２１：芯線
２２：絶縁被覆
４０：ハウジング
４５：係止筒部（「係止部」の一例）
４７：弾性片
４８：係止突起
４８Ａ：案内面
【図１】
2018085229.tif 000003
【図２】
2018085229.tif 000004
【図３】
2018085229.tif 000005
【図４】
2018085229.tif 000006
【図５】
2018085229.tif 000007
【図６】
2018085229.tif 000008
【図７】
2018085229.tif 000009
【図８】
2018085229.tif 000010
【図９】
2018085229.tif 000011
【図１０】
2018085229.tif 000012